(57)【要約】【課題】インセル方式とオンセル方式のどちらの表示・タッチパネル装置にも適用可能な、表示ドライバとタッチパネルコントローラが同一チップに集積されたＩＣにおいて、オンセル方式の表示・タッチパネル（複合パネル）に接続される場合にも、共通電圧（Ｖｃｏｍ）に対する外来ノイズの混入を抑える。【解決手段】表示信号駆動回路は、共通電圧（Ｖｃｏｍ）に基づく信号レベルの表示信号を、表示パネルに出力する。タッチ検出信号駆動回路は、複合パネルがインセル方式のときは、共通電圧（Ｖｃｏｍ）に基づく信号レベルのタッチ検出信号を、タッチパネルに出力し、複合パネルがオンセル方式のときは、共通電圧（Ｖｃｏｍ）以外の電圧レベルに基づく信号レベルのタッチ検出信号を、タッチパネルに出力する。【選択図】図４
2015176512.tif 000002
【特許請求の範囲】
【請求項１】
表示信号駆動回路とタッチ検出信号駆動回路とを備え、表示パネルとタッチパネルが積層された複合パネルに接続可能な、半導体装置であって、
前記表示信号駆動回路は、共通電圧に基づく信号レベルの表示信号を、前記表示パネルに出力し、
前記タッチ検出信号駆動回路は、前記複合パネルがインセル方式のときは、前記共通電圧に基づく信号レベルのタッチ検出信号を、前記タッチパネルに出力し、前記複合パネルがオンセル方式のときは、前記共通電圧以外の電圧レベルに基づく信号レベルのタッチ検出信号を、前記タッチパネルに出力する、半導体装置。
【請求項２】
請求項１において、外部から供給される正極側外部電源と負極側外部電源に基づいて、前記共通電圧を供給する電源と、前記共通電圧以外の前記電圧レベルの電源とを生成する電源回路をさらに備える、半導体装置。
【請求項３】
請求項２において、前記電源回路は負極側内部基準電源を生成し、前記共通電圧以外の電圧レベルの前記電源として、前記タッチ検出信号駆動回路に供給する、半導体装置。
【請求項４】
請求項２において、前記共通電圧以外の電圧レベルの前記電源として、前記負極側外部電源を、前記タッチ検出信号駆動回路に供給する、半導体装置。
【請求項５】
請求項２において、前記表示パネルのゲート制御回路を駆動する、ゲート制御ドライバをさらに備え、
前記電源回路は、正極側と負極側のゲート駆動電源を生成して前記ゲート制御ドライバに供給し、前記共通電圧以外の電圧レベルの前記電源として、負極側の前記ゲート駆動電源を、前記タッチ検出信号駆動回路に供給する、半導体装置。
【請求項６】
請求項２において、前記表示パネルのゲート制御回路を駆動する、ゲート制御ドライバをさらに備え、
前記電源回路は、正極側と負極側の前記外部電源をそれぞれ昇圧する昇圧回路と、前記昇圧回路の出力を安定化させる安定化回路とを備え、前記昇圧回路と前記安定化回路によって正極側と負極側のゲート駆動電源を生成して前記ゲート制御ドライバに供給し、
前記電源回路は、前記共通電圧以外の電圧レベルの前記電源として、前記昇圧回路の負極側の出力電源を、前記タッチ検出信号駆動回路に供給する、半導体装置。
【請求項７】
請求項１において、外部から供給される外部電源に基づいて、前記共通電圧を供給する電源とを含む各種内部電源を生成する電源回路を備え、
前記タッチ検出信号駆動回路は、前記複合パネルがオンセル方式のときは、前記共通電圧以外の前記電圧レベルとして、前記外部電源と前記電源回路から生成される前記各種内部電源との中から１つの電源を選択して、選択された電源に基づく信号レベルのタッチ検出信号を、前記タッチパネルに出力する、半導体装置。
【請求項８】
請求項７において、前記半導体装置は前記表示パネルのゲート制御回路を駆動するゲート制御ドライバを備え、
前記電源回路は、外部から供給される正極側外部電源と負極側外部電源に基づいて、前記共通電圧を供給する電源とを含む各種内部電源を生成し、
前記電源回路は、正極側と負極側の前記外部電源をそれぞれ昇圧する昇圧回路と、前記昇圧回路の出力を安定化させる安定化回路とを備え、前記昇圧回路と前記安定化回路によって正極側と負極側のゲート駆動電源を生成して前記ゲート制御ドライバに供給し、
前記各種内部電源には、負極側内部基準電源と、前記昇圧回路の出力と、前記ゲート駆動電源とが含まれる、半導体装置。
【請求項９】
請求項１において、生成電圧を可変とする可変電源回路を備え、
前記タッチ検出信号駆動回路は、前記複合パネルがオンセル方式のときは、前記共通電圧以外の前記電圧レベルとして、前記可変電源回路によって生成された電圧に基づく信号レベルのタッチ検出信号を、前記タッチパネルに出力する、半導体装置。
【請求項１０】
請求項１において、接続される複合パネルがインセル方式かオンセル方式かを指定するための端子を備える、半導体装置。
【請求項１１】
請求項１において、ホストプロセッサと接続されるためのシステムインターフェースと、接続される複合パネルがインセル方式かオンセル方式かを指定するためのレジスタとを備え、前記レジスタは前記システムインターフェースを介して前記ホストプロセッサによって書込み可能に構成される、半導体装置。
【請求項１２】
請求項１１において、電源投入時における前記レジスタの初期値は、接続される複合パネルがインセル方式であることを指定する値とされる、半導体装置。
【発明の詳細な説明】
【技術分野】
【０００１】
本発明は、半導体装置に関し、特に、タッチセンサと表示パネルとが重ね合せて実装された複合パネルに接続可能な、表示ドライバとタッチパネルコントローラが同一チップに集積された半導体装置（ＩＣ：Integrated Circuit）に好適に利用できるものである。
【背景技術】
【０００２】
従来は表示パネルとタッチパネルが独立したオンセル方式が主流であったが、近年、特にモバイル用パネルモジュールにおいて、より薄型化が可能な、表示パネルとタッチパネルを一体化したインセル方式が普及しつつある。
【０００３】
インセル方式でタッチセンサを備えた表示パネルには、表示ドライバとタッチパネルコントローラが接続され、ホストプロセッサから入力される画像データを表示し、タッチされた位置を検出してホストプロセッサへ出力する。特許文献１には、インセル方式の表示・タッチパネルにおいて、タッチセンシングと表示の領域を時分割して交互に駆動することによりノイズの影響を低減する、タッチセンサを有する表示装置及びその駆動方法が開示されている。特許文献２には、タッチセンサパネルのタッチセンスのための電極の駆動回路が開示される。タッチセンサに検出用の信号を出力する駆動回路において、その信号の立上り及び立下りに起因するノイズの影響を緩和するために、複数の駆動電圧の中から所要の駆動電圧を選択するスイッチ回路を有し、波形モードに応じて切り替える制御が行われる。
【先行技術文献】
【特許文献】
【０００４】
【特許文献１】特開２０１３−２４６４３４号公報
【特許文献２】特開２０１２−２３４４７５号公報
【発明の概要】
【発明が解決しようとする課題】
【０００５】
特許文献１及び２について本発明者が検討した結果、以下のような新たな課題があることがわかった。
【０００６】
インセル方式の表示・タッチパネル装置では、例えば特許文献１に記載されるように、表示・タッチパネルに共通配線ＣＬが設けられており、共通電圧生成部から共通電圧（Ｖｃｏｍ）が供給される。これに対してオンセル方式の表示・タッチパネル装置では、表示のための電極とは別に、タッチ検出のための電極を備えている。例えば特許文献２には、互いに交差する複数のＹ電極と複数のＸ電極によって複数の交点容量が形成されたタッチパネルに接続され、Ｙ電極に駆動パルスを印加し、それに伴ってＸ電極に現れる電荷の移動を検出する、タッチパネルコントローラが開示されている。特許文献２では、タッチパネルがインセル方式かオンセル方式かを問わないので、インセル方式の表示・タッチパネル装置に適用される場合には、Ｙ電極に印加される駆動パルスは、共通電圧（Ｖｃｏｍ）を基準として印加されることとなる。
【０００７】
ここで、表示ドライバとタッチパネルコントローラが同一チップに集積された半導体装置（ＩＣ）において、表示のための電極を駆動する電源の基準電位となる共通電圧（Ｖｃｏｍ）は、タッチセンサに検出用の信号を出力する駆動回路の基準電位としても使用される。そのようなＩＣがインセル方式の表示・タッチパネル装置に適用される場合には、上述のように、共通配線に共通に共通電圧（Ｖｃｏｍ）を供給する必要があるためである。
【０００８】
本願の発明者が検討した結果、同じＩＣをインセル方式とオンセル方式のどちらの表示・タッチパネル装置にも適用することができるように構成する場合には、以下のような問題があることがわかった。即ち、接続されるパネルがインセル方式かオンセル方式かに関わらず、同じタッチ検出信号駆動回路を使用すると、共通電圧（Ｖｃｏｍ）を供給するための配線の引き回しが両方式で大きく異なるため、オンセル方式の場合に外来ノイズを受けやすくなり、画質の劣化を招く恐れがあることがわかった。インセル方式の表示・タッチパネルに接続される場合には、表示とタッチ検出のために共通電圧（Ｖｃｏｍ）は共通に配線されるのに対し、オンセル方式の表示・タッチパネルに接続される場合には、表示パネルへの配線とは別にタッチパネルへの配線が必要となるためである。
【０００９】
本発明の目的は、インセル方式とオンセル方式のどちらの表示・タッチパネル装置にも適用可能な、表示ドライバとタッチパネルコントローラが同一チップに集積された半導体装置（ＩＣ）において、オンセル方式の表示・タッチパネルに接続される場合にも、共通電圧（Ｖｃｏｍ）に対する外来ノイズの混入を抑えることである。
【００１０】
このような課題を解決するための手段を以下に説明するが、その他の課題と新規な特徴は、本明細書の記述及び添付図面から明らかになるであろう。
【課題を解決するための手段】
【００１１】
一実施の形態によれば、下記の通りである。
【００１２】
すなわち、表示信号駆動回路とタッチ検出信号駆動回路とを備え、表示パネルとタッチパネルが積層された複合パネルに接続可能な、半導体装置であって以下のように構成される。表示信号駆動回路は、共通電圧（Ｖｃｏｍ）に基づく信号レベルの表示信号を、表示パネルに出力する。タッチ検出信号駆動回路は、複合パネルがインセル方式のときは、共通電圧（Ｖｃｏｍ）に基づく信号レベルのタッチ検出信号を、タッチパネルに出力し、複合パネルがオンセル方式のときは、共通電圧（Ｖｃｏｍ）以外の電圧レベルに基づく信号レベルのタッチ検出信号を、タッチパネルに出力する。
【発明の効果】
【００１３】
前記一実施の形態によって得られる効果を簡単に説明すれば下記のとおりである。
【００１４】
すなわち、インセル方式とオンセル方式のどちらの表示・タッチパネル装置にも適用可能な、表示ドライバとタッチパネルコントローラが同一チップに集積された半導体装置（ＩＣ）において、オンセル方式の表示・タッチパネル（複合パネル）に接続される場合にも、共通電圧（Ｖｃｏｍ）に対する外来ノイズの混入を抑えることができる。オンセル方式の複合パネルに接続される場合の共通電圧（Ｖｃｏｍ）の引き回しが、インセル方式の複合パネルに接続された場合よりも著しく長くなることがなくなるためである。
【図面の簡単な説明】
【００１５】
【図１】図１は、本発明のタッチパネルコントローラ内蔵表示ドライバ（複合ＩＣ）の一構成例を示すブロック図である。
【図２】図２は、表示パネルの電極構成を例示する平面図である。
【図３】図３は、タッチパネルの電極構成を例示する平面図である。
【図４】図４は、本発明のタッチ検出信号駆動回路（Ｔｘドライバ）の構成例を表すブロック図である。
【図５】図５は、タッチパネルコントローラ内蔵表示ドライバ（複合ＩＣ）の電源回路によって生成される各種内部電源を表す説明図である。
【図６】図６は、電源回路が生成する負極側内部基準電源（ＶＣＬ）が、共通電圧（Ｖｃｏｍ）以外の電圧レベルとして供給される、タッチ検出信号駆動回路（Ｔｘドライバ）の構成例を表すブロック図である。
【図７】図７は、外部から供給される電源（ＶＳＮ）が、共通電圧（Ｖｃｏｍ）以外の電圧レベルとして供給される、タッチ検出信号駆動回路（Ｔｘドライバ）の構成例を表すブロック図である。
【図８】図８は、電源回路が生成する負極側ゲート駆動電源（ＧＶＳＳ）が、共通電圧（Ｖｃｏｍ）以外の電圧レベルとして供給される、タッチ検出信号駆動回路（Ｔｘドライバ）の構成例を表すブロック図である。
【図９】図９は、電源回路がゲート駆動電源のために生成する負極側昇圧電源（ＶＧＬ）が、共通電圧（Ｖｃｏｍ）以外の電圧レベルとして供給される、タッチ検出信号駆動回路（Ｔｘドライバ）の構成例を表すブロック図である。
【図１０】図１０は、共通電圧（Ｖｃｏｍ）以外の電圧レベルとして供給される電源を選択可能な、タッチ検出信号駆動回路（Ｔｘドライバ）の構成例を表すブロック図である。
【図１１】図１１は、共通電圧（Ｖｃｏｍ）以外の電圧レベルとして供給される電源を自由に設定可能な、タッチ検出信号駆動回路（Ｔｘドライバ）の構成例を表す回路図である。
【発明を実施するための形態】
【００１６】
１．実施の形態の概要
先ず、本願において開示される代表的な実施の形態について概要を説明する。代表的な実施の形態についての概要説明で括弧を付して参照する図面中の参照符号はそれが付された構成要素の概念に含まれるものを例示するに過ぎない。
【００１７】
〔１〕＜インセル／オンセルでＴｘＬを切替えるタッチ検出信号駆動回路＞
本願において開示される代表的な実施の形態に係る半導体装置（１）は、表示信号駆動回路（ソースドライバ２１）とタッチ検出信号駆動回路（Ｔｘドライバ１１）とを備え、表示パネル（２）とタッチパネル（３）が積層された複合パネル（４）に接続可能な、半導体装置であって、以下のように構成される。
【００１８】
前記表示信号駆動回路は、共通電圧（Ｖｃｏｍ）に基づく信号レベルの表示信号（Ｓｎ）を、前記表示パネルに出力する。
【００１９】
前記タッチ検出信号駆動回路は、前記複合パネルがインセル方式のときは、前記共通電圧（Ｖｃｏｍ）に基づく信号レベルのタッチ検出信号（ＴＯＵＴｘ）を、前記タッチパネルに出力し、前記複合パネルがオンセル方式のときは、前記共通電圧（Ｖｃｏｍ）以外の電圧レベルに基づく信号レベルのタッチ検出信号（ＴＯＵＴｘ）を、前記タッチパネルに出力する。
【００２０】
これにより、インセル方式とオンセル方式のどちらの表示・タッチパネル装置にも適用可能な、表示ドライバとタッチパネルコントローラが同一チップに集積された半導体装置（ＩＣ）において、オンセル方式の表示・タッチパネル（複合パネル）に接続される場合にも、共通電圧（Ｖｃｏｍ）に対する外来ノイズの混入を抑えることができる。オンセル方式の複合パネルに接続される場合の共通電圧（Ｖｃｏｍ）の引き回しが、インセル方式の複合パネルに接続された場合よりも著しく長くなることがなくなるためである。
【００２１】
〔２〕＜電源回路＞
項１において、半導体装置（１）は、外部から供給される正極側外部電源（ＶＳＰ）と負極側外部電源（ＶＳＮ）に基づいて、前記共通電圧（Ｖｃｏｍ）を供給する電源と、前記共通電圧（Ｖｃｏｍ）以外の前記電圧レベルの電源とを生成する電源回路（２９）をさらに備える。
【００２２】
これにより、必要な電源は半導体装置（ＩＣ）の内部で生成される。
【００２３】
〔３〕＜ＴＸＬ＝ＶＣＬ＞
項２において、前記電源回路は負極側内部基準電源（ＶＣＬ）を生成し、前記共通電圧（Ｖｃｏｍ）以外の電圧レベルの前記電源として、前記タッチ検出信号駆動回路に供給する。
【００２４】
これにより、複合パネル（４）がオンセル方式のときには、負極側内部基準電源（ＶＣＬ）が、共通電圧（Ｖｃｏｍ）に代わって利用される。一般に、ＶＣＬはＶｃｏｍと同程度の電圧レベルとされるので、タッチパネルコントローラ（１０）内の他の回路を、インセル方式とオンセル方式の両方に適用可能にするための、例えば耐圧切替えのような、切替え制御を不要とすることができる。
【００２５】
〔４〕＜ＴＸＬ＝ＶＳＮ＞
項２において、前記共通電圧（Ｖｃｏｍ）以外の電圧レベルの前記電源として、前記負極側外部電源（ＶＳＮ）が、前記タッチ検出信号駆動回路に供給される。
【００２６】
これにより、複合パネル（４）がオンセル方式のときには、負極側外部電源（ＶＣＮ）が、共通電圧（Ｖｃｏｍ）に代わって利用される。内部の電源回路（２９）を経由しないため、タッチ検出信号（ＴＯＵＴｘ）に混入する外来ノイズが、電源を経由して表示ドライバ（２０）側の回路に混入する経路を減らすことができる。
【００２７】
〔５〕＜ＴＸＬ＝ＶＧＳＳ＞
項２において、前記表示パネルのゲート制御回路（８１＿１〜８１＿２）を駆動する、ゲート制御ドライバ（２５）をさらに備え、前記電源回路は、正極側と負極側のゲート駆動電源（ＧＶＤＤ，ＧＶＳＳ）を生成して前記ゲート制御ドライバに供給し、前記共通電圧（Ｖｃｏｍ）以外の電圧レベルの前記電源として、負極側の前記ゲート駆動電源（ＧＶＳＳ）を、前記タッチ検出信号駆動回路に供給する。
【００２８】
これにより、複合パネル（４）がオンセル方式のときには、表示パネル（２）のゲート制御回路（８０＿１〜８０＿２）を駆動するゲート駆動電源（ＶＧＳＳ）が、共通電圧（Ｖｃｏｍ）に代わって利用される。一般に、ＶＧＳＳは約−１１Ｖとされ、電源回路（２９）によって外部電源を一旦昇圧した後に安定化して生成されるため、ノイズの影響が少ない。また、タッチ検出信号（ＴＯＵＴｘ）は、タッチ検出の感度を向上するためには、振幅が大きい方が好ましい。しかし、インセル方式ではその構造上、耐圧が制限され、一般に１０Ｖ未満である場合が多いため、タッチ検出信号（ＴＯＵＴｘ）はＶｃｏｍ基準として上記耐圧を超えない振幅に抑えられる。これに対して、オンセル方式の場合には、耐圧は一般に１５Ｖ以上であるから、タッチ検出信号（ＴＯＵＴｘ）の振幅をインセル方式に合わせて小さく抑える必要はない。本「項５」のように構成することによって、タッチ検出信号（ＴＯＵＴｘ）の振幅を、接続される複合パネル（４）がインセル方式かオンセル方式かに基づいて適切に切替えることができる。
【００２９】
〔６〕＜ＴＸＬ＝ＶＧＬ＞
項２において、前記表示パネルのゲート制御回路（８０＿１〜８０＿２）を駆動する、ゲート制御ドライバ（２５）をさらに備える。
【００３０】
前記電源回路は、正極側と負極側の前記外部電源をそれぞれ昇圧する昇圧回路と、前記昇圧回路の出力を安定化させる安定化回路とを備え、前記昇圧回路と前記安定化回路によって正極側と負極側のゲート駆動電源（ＧＶＤＤ，ＧＶＳＳ）を生成して前記ゲート制御ドライバに供給する。
【００３１】
前記電源回路は、前記共通電圧（Ｖｃｏｍ）以外の電圧レベルの前記電源として、前記昇圧回路の負極側の出力電源（ＶＧＬ）を、前記タッチ検出信号駆動回路に供給する。
【００３２】
これにより、複合パネル（４）がオンセル方式のときには、表示パネル（２）のゲート制御回路（８０＿１〜８０＿２）を駆動するゲート駆動電源（ＶＧＳＳ）を生成するために内部昇圧された昇圧電源（ＶＧＬ）が、共通電圧（Ｖｃｏｍ）に代わって利用される。上記「項５」の場合と同様に、タッチ検出信号（ＴＯＵＴｘ）の振幅を、接続される複合パネル（４）がインセル方式かオンセル方式かに基づいて適切に切替えることができ、さらに、オンセル方式の場合のタッチ検出信号（ＴＯＵＴｘ）の振幅を「項５」の場合よりも大きくすることができる。
【００３３】
〔７〕＜電源回路が生成する各種内部電源から選択＞
項１において、前記半導体装置（１）は、外部から供給される外部電源（ＶＳＰ，ＶＳＮ）に基づいて、前記共通電圧を供給する電源とを含む各種内部電源を生成する電源回路（２９）を備える。
【００３４】
前記タッチ検出信号駆動回路は、前記複合パネルがオンセル方式のときは、前記共通電圧（Ｖｃｏｍ）以外の前記電圧レベルとして、前記外部電源と前記電源回路から生成される前記各種内部電源との中から１つの電源を選択して、選択された電源に基づく信号レベルのタッチ検出信号（ＴＯＵＴｘ）を、前記タッチパネルに出力する。
【００３５】
これにより、必要な電源は半導体装置（ＩＣ）の内部で生成され、さらに接続される複合パネル（４）の特性に応じて適切な電圧を選択することができる。
【００３６】
〔８〕＜各種内部電源＝ＶＣＬ／ＶＳＮ／ＧＶＳＳ／ＶＧＬ＞
項７において、前記半導体装置は前記表示パネルのゲート制御回路を駆動するゲート制御ドライバ（２５）を備える。
【００３７】
前記電源回路は、外部から供給される正極側外部電源（ＶＳＰ）と負極側外部電源（ＶＳＮ）に基づいて、前記共通電圧（Ｖｃｏｍ）を供給する電源とを含む各種内部電源を生成する。
【００３８】
前記電源回路は、正極側と負極側の前記外部電源をそれぞれ昇圧する昇圧回路と、前記昇圧回路の出力を安定化させる安定化回路とを備え、前記昇圧回路と前記安定化回路によって正極側と負極側のゲート駆動電源（ＧＶＤＤ，ＧＶＳＳ）を生成して前記ゲート制御ドライバに供給する。
【００３９】
前記各種内部電源には、負極側内部基準電源（ＶＣＬ）と、前記昇圧回路の出力（ＶＧＬ）と、前記ゲート駆動電源（ＧＶＳＳ）とが含まれる。
【００４０】
これにより、タッチ検出信号駆動回路（１１）に必要な電源は、半導体装置（ＩＣ）の内部で生成される各種内部電源から選択することが可能となる。
【００４１】
〔９〕＜タッチ検出信号駆動回路のための電圧可変の電源＞
項１において、前記半導体装置（１）は、生成電圧を可変とする可変電源回路（３１）を備える。
【００４２】
前記タッチ検出信号駆動回路は、前記複合パネルがオンセル方式のときは、前記共通電圧（Ｖｃｏｍ）以外の前記電圧レベルとして、前記可変電源回路によって生成された電圧に基づく信号レベルのタッチ検出信号（ＴＯＵＴｘ）を、前記タッチパネルに出力する。
【００４３】
これにより、オンセル方式のときのタッチ検出信号（ＴＯＵＴｘ）の低電圧側振幅レベルを自由に決めることができる。
【００４４】
〔１０〕＜設定端子＞
項１において、前記半導体装置（１）は、接続される複合パネル（４）がインセル方式かオンセル方式かを指定するための端子を備える。
【００４５】
これにより、接続される複合パネルがインセル方式かオンセル方式かを容易に設定することができる。
【００４６】
〔１１〕＜設定レジスタ＞
請求項１において、ホストプロセッサ（５）と接続されるためのシステムインターフェース（２７）と、接続される複合パネルがインセル方式かオンセル方式かを指定するためのレジスタとを備え、前記レジスタは前記システムインターフェースを介して前記ホストプロセッサによって書込み可能に構成される。
【００４７】
これにより、接続される複合パネル（４）がインセル方式かオンセル方式かを、外付けのホストプロセッサ（５）から容易に設定することができる。
【００４８】
〔１２〕＜設定レジスタの初期値は「インセル方式」＞
項１１において、電源投入時における前記レジスタの初期値は、接続される複合パネルがインセル方式であることを指定する値とされる。
【００４９】
これにより、接続される複合パネル（４）がインセル方式であって耐圧が低い場合も、レジスタ設定前に誤って大振幅のタッチ検出信号が印加される事故を予防することができる。
【００５０】
２．実施の形態の詳細
実施の形態について更に詳述する。
【００５１】
〔実施形態１〕
図１は、本発明のタッチパネルコントローラ内蔵表示ドライバ（複合ＩＣ）の一構成例を示すブロック図である。図２は、表示パネルの電極構成を例示する平面図であり、図３は、タッチパネルの電極構成を例示する平面図である。
【００５２】
タッチパネルコントローラ内蔵表示ドライバ（複合ＩＣ）１は、タッチパネルコントローラ１０と表示ドライバ２０とＭＣＵ３０を含んで構成され、表示パネル２とタッチパネル３からなる複合パネル４、及び、ホストプロセッサ５と、それぞれ接続されることができる。タッチパネルコントローラ内蔵表示ドライバ（複合ＩＣ）１は、特に制限されないが、例えば、公知のＣＭＯＳ（Complementary Metal-Oxide-Semiconductor field effect transistor）半導体製造技術を用いて、シリコンなどの単一半導体基板上に形成される。
【００５３】
図２には表示パネル２の構成が例示される。表示パネル２は横方向に形成された走査電極としてのゲート配線Ｇ１〜Ｇｍと縦方向に形成された信号電極としてのソース配線Ｓ１〜Ｓｎとが配置され、その交点部分には選択端子が対応する走査電極に接続され、入力端子が対応する信号電極に接続された多数の表示セルが配置される。表示セルは、図中に破線で囲まれる領域に例示されるように、ゲート配線にゲート端子がソース配線にドレイン端子が接続されるトランスファゲートＴｒと、トランスファゲートＴｒのソース端子と共通電圧Ｖｃｏｍの間に形成された画素容量Ｃによって構成される。トランスファゲートＴｒの構造は対称であり、上述のドレイン端子とソース端子の関係は逆でもよい。走査電極であるゲート配線Ｇ１〜Ｇｍは、表示パネル２の両側に形成されたゲートインパネル回路８０＿１と８０＿２によって順次走査される。ゲートインパネル回路８０＿１と８０＿２は、それぞれ、シフトレジスタ８１＿１と８１＿２と各ゲート配線Ｇ１〜Ｇｍを駆動するためのアンプ８２＿１〜８２＿ｍを含んで構成される。ゲートインパネル回路８０＿１と８０＿２を構成する回路素子は、例えば表示パネル２のガラス基板上に形成された薄膜トランジスタ（ＴＦＴ：Thin Film Transistor）を使って構成される。ゲートインパネル回路８０＿１と８０＿２を制御するための信号Ｇｃｔｌは、タッチパネルコントローラ内蔵表示ドライバ（複合ＩＣ）１内の表示ドライバ２０から供給される。信号電極としてのソース配線Ｓ１〜Ｓｎには、タッチパネルコントローラ内蔵表示ドライバ（複合ＩＣ）１内の表示ドライバ２０から、直接またはデマルチプレクサ８３を介して、表示されるべき輝度に対応する電圧レベルの信号が印加され、走査電極によって選択されたラインの画素容量Ｃが並列に充電される。表示パネル２の構成は、図示された例に制限されず任意である。例えば、ゲートインパネル回路を備える代わりに、ゲート配線Ｇ１〜Ｇｍがタッチパネルコントローラ内蔵表示ドライバ（複合ＩＣ）１内の表示ドライバ２０によって直接駆動される構成とすることもできる。
【００５４】
図３にはタッチパネル３の電極構成が例示される。タッチパネル３はマルチタッチ検出を可能にする相互容量方式のタッチパネルであって、横方向に形成された多数の駆動電極（Ｙ電極）Ｙ１〜ＹＭ（Ｙ電極Ｙｍとも記す）と、縦方向に形成された多数の検出電極（Ｘ電極）Ｘ１〜ＸＮ（Ｘ電極Ｘｎとも記す）とが相互に電気的に絶縁されて構成される。Ｘ電極とＹ電極の交差部には各電極の容量電極を介して交点容量が形成される。交点容量に指などの物体が近接すると、当該物体を容量電極とする浮遊容量が前記交点容量に加わることになる。Ｙ電極Ｙ１〜ＹＭは、例えばその配列順に、タッチパネルコントローラ内蔵表示ドライバ（複合ＩＣ）１内のタッチパネルコントローラ１０から、タッチ検出駆動信号ＴＯＵＴｘが印加されて駆動される。これに伴って検出電極であるＸ電極Ｘ１〜ＸＮから順次得られる信号に基づいて、各交差部における容量成分の変動に応じた検出データを得る。マイクロプロセッサ（ＭＰＵ）３０はタッチパネル３の駆動を制御し、タッチパネルコントローラ１０が取得した検出データから、タッチの状態や座標を検出する処理を行う。例えば、検出データに対してディジタルフィルタ演算を行い、これによってノイズが除去されたデータに基づいて容量変動が生じた交差部の位置座標を演算する。要するに、交差部のどの位置で浮遊容量が変化したか、即ち、交差部のどの位置で指が近接したか（タッチされたか、接触イベントが発生したか）を示すために、接触イベントが発生したときの位置座標を演算する。タッチパネル３は透過性（透光性）の電極や誘電体膜を用いて構成され、例えば表示パネル２の表示面に重ねて配置される。図３には、電極形状が菱形のタッチパネル３が示されるが、電極形状は格子型等他の形状でもよい。
【００５５】
図１についての説明に戻る。タッチパネル３と表示パネル２は重ね合せて実装されて複合パネル４とされる。表示・タッチパネルである複合パネル４は、例えば表示パネル２に表示されるアイコンに対応する座標が、タッチ操作されたことを、積層されるタッチパネルで検出するなどの、連携した動作に適する。表示・タッチパネルである複合パネル４の積層方法は、一体として実装されるインセル方式でも良いし、タッチパネル３と上面に設置されるカバーガラスとが一体化された、オンセル方式のカバーガラス一体構成であってもよい。また、図１において、表示のためにゲート配線を制御するための信号や表示データ信号、タッチ検出のために駆動電極を駆動するための信号や検出信号は、幅のある矢印で示され、ＩＣ内の各回路動作を制御するための制御信号やタイミング信号は、実線の矢印で示され、電源供給配線は図示が省略されている。また、図では信号線のバス表示は省略されているが、各信号線は１本または複数本のアナログまたはディジタル信号配線によって構成される。
【００５６】
ホストプロセッサ５は表示データを生成し、表示ドライバ２０はホストプロセッサ５から受け取った表示データを表示パネル２に表示するための表示制御を行う。ホストプロセッサ５は、接触イベントが発生したときの位置座標のデータをＭＰＵ３０から取得し、表示パネル２における位置座標のデータと表示ドライバ２０に与えて表示させた表示画面との関係から、タッチパネル３の操作による入力を解析する。特に制限されないが、ホストプロセッサ５には夫々図示を省略する、通信制御ユニット、画像処理ユニット、音声処理ユニット、及びその他アクセラレータなどが内蔵され或いは接続されることによって、例えば携帯端末が構成される。
【００５７】
タッチパネルコントローラ内蔵表示ドライバ（複合ＩＣ）１内のタッチパネルコントローラ１０は、タッチ検出信号駆動回路（Ｔｘドライバ）１１と、タッチ検出信号検出回路（Ｒｘレシーバ）１２と、タッチ検出制御部１３と、Ａ／Ｄ変換器（ＡＤＣ）１４と、メモリ１５とを含んで構成される。タッチ検出信号駆動回路（Ｔｘドライバ）１１は、駆動電極であるＹ電極Ｙ１〜ＹＭを、例えばその配列順に、タッチ検出駆動信号ＴＯＵＴｘを印加して駆動する。これに伴って検出電極であるＸ電極Ｘ１〜ＸＮから順次得られる信号ＲＩＮｘは、Ｒｘレシーバ１２で検出・増幅され、ＡＤＣ１４でディジタル値に変換され、メモリ１５に書き込まれる。検出されたディジタル値は、タッチ検出制御部１３を介してＭＰＵ３０に読み出され、ＭＰＵ３０は、タッチパネルコントローラ１０が取得した検出データから、タッチの状態や座標を検出する処理を行う。
【００５８】
タッチパネルコントローラ内蔵表示ドライバ（複合ＩＣ）１内の表示ドライバ２０は、システムインターフェース２７と、表示インターフェース２８と、表示制御部２６と、ゲート制御ドライバ２５と、メモリ２４と、データラッチ回路２３と、階調電圧選択回路２２と、ソースドライバ２１と、電源回路２９とを含んで構成される。表示ドライバ２０は、システムインターフェース２７を介してシステムバスによりホストプロセッサ５と接続され、制御コマンドを受信し、ＭＰＵ３０が検出したタッチ位置や状態を始めとするデータを送信し、その他ＩＣ内の各種パラメータを送受信する。表示ドライバ２０は、表示インターフェース２８を介して、例えば表示デバイスの標準的な通信インターフェースの１つである、ＭＩＰＩ−ＤＳＩ（Mobile Industry Processor Interface  Display Serial Interface）に準拠するインターフェースにより、ホストプロセッサ５と接続され、表示パネル２に表示すべき画像データを高速に受信し、垂直同期信号（Ｖｓｙｎｃ）及び水平同期信号（Ｈｓｙｎｃ）などのタイミング情報も合わせて受信する。
【００５９】
表示制御部２６は、ホストプロセッサ５から受信した制御コマンドやパラメータを保持するコマンドレジスタ（不図示）とパラメータレジスタ（不図示）を備え、それに基づいて、各回路の動作を制御する。また、ＭＰＵ３０やタッチパネルコントローラ１０に、ホストプロセッサ５から受信した制御コマンドやパラメータを転送し、ＭＰＵ３０からタッチ位置や状態などのデータをホストプロセッサ５に送信するための中継を行う。
【００６０】
表示制御部２６は、表示インターフェース２８が受信する、垂直同期信号（Ｖｓｙｎｃ）及び水平同期信号（Ｈｓｙｎｃ）などのタイミング情報に基づいて、ゲート制御ドライバ２５を制御し、表示パネル２のゲートインパネル回路８０＿１〜８０＿２へ供給する制御信号Ｇｃｔｌを出力させる。制御信号Ｇｃｔｌには、シフトレジスタを動作させるためのクロックやスタートフラグの他、ゲート配線Ｇ１〜Ｇｍを駆動するパルスの振幅を規定するアナログ信号等が含まれてもよい。また、これに代えて或いはこれに加えて、ゲートインパネル回路を備えない表示パネルにも適用することができるように、走査電極（ゲート配線）を直接駆動するパルスを出力する駆動回路を備えてもよい。
【００６１】
表示制御部２６は、表示インターフェース２８が受信する画像データを、メモリ２４に書き込む。メモリ２４はＳＲＡＭ（Static Random Access Memory）であり、フレームメモリとして機能する。メモリ２４から１ライン分の画像データがデータラッチ２３に読み出される。階調電圧選択回路２２は、データラッチ２３からディジタル値で供給される１ライン分の画像データを、並列に、対応するアナログの階調電圧に変換してソースドライバ２１に供給する。階調電圧選択回路２２は、図示が省略されている階調電圧生成回路によって生成されて供給される多階調のアナログ階調電圧から、ディジタル値の画像データに対応する１つのアナログ階調電圧を選択して出力し、または複数の階調電圧から新たに中間の階調電圧を生成して、ソースドライバ２１に供給する。ソースドライバ２１は、入力された階調電圧を電流増幅して、表示ドライバ２の信号電極（ソース配線）Ｓｎを駆動する。
【００６２】
電源回路２９は、昇圧回路、降圧回路、安定化回路（レギュレータ）などを含んで構成され、外部から供給される電源から、タッチパネルコントローラ内蔵表示ドライバ（複合ＩＣ）１内の各回路で使用される内部電源を生成する。詳細については後述する。
【００６３】
上述の表示ドライバ２０は、フレームメモリ２４を内蔵する構成例について説明したが、フレームメモリを内蔵しない構成も採用し得る。フレームメモリ２４を内蔵する構成例では、表示する画像が静止画の場合に、１フレームの静止画をフレームメモリ２４に保持し、繰り返し読み出して表示することにより、静止画が表示される期間のホストプロセッサ５からの画像データの転送を省略することができる。一方、フレームメモリを内蔵しない構成ではチップ面積が小さくて済み、コストが低減される。
【００６４】
図４は、本発明のタッチ検出信号駆動回路（Ｔｘドライバ）１１の構成例を表すブロック図である。タッチ検出信号駆動回路（Ｔｘドライバ）１１は、タッチ検出信号生成回路（Ｔｘ信号生成回路）１６とレベルシフタ（Ｌ／Ｓ）とスイッチ１８とＴｘＬ切替制御回路１９とを含んで構成される。Ｔｘ信号生成回路１６が生成するパルスは、レベルシフタ（Ｌ／Ｓ）によって振幅を調整され、タッチ検出信号ＴＯＵＴｘとして出力される。レベルシフタ（Ｌ／Ｓ）の高電位側には、電源回路２９から高電位側電源ＴｘＨが供給されており、低電位側にはＴｘＬ切替制御回路１９によって制御されるスイッチ１８によって、共通電圧Ｖｃｏｍまたはそれ以外の電圧が印加されるように、切替制御される。共通電圧Ｖｃｏｍは電源回路２９によって生成され、表示ドライバ２０内のソースドライバ２１に、表示ドライバ２の信号電極（ソース配線）Ｓｎを駆動するときの共通電圧として供給される電源であり、さらには、表示パネル２のそれぞれの画素容量Ｃの共通電源でもある。
【００６５】
ＴｘＬ切替制御回路１９は、表示パネル２とタッチパネル３による複合パネル４がインセル方式のときには、スイッチ１８によってレベルシフタ（Ｌ／Ｓ）の低電位側に共通電圧Ｖｃｏｍを供給し、オンセル方式のときには、Ｖｃｏｍ以外の電圧レベルを供給する。タッチ検出信号ＴＯＵＴｘは、レベルシフタ（Ｌ／Ｓ）の動作により、インセル方式のときには共通電圧ＶｃｏｍとＴｘＨの間で振幅するパルスとなり、オンセル方式のときには共通電圧Ｖｃｏｍ以外の電圧レベルとＴｘＨの間で振幅するパルスとなる。
【００６６】
これにより、インセル方式とオンセル方式のどちらの表示・タッチパネル装置にも適用可能な、表示ドライバとタッチパネルコントローラが同一チップに集積された半導体装置（ＩＣ）において、オンセル方式の表示・タッチパネル（複合パネル）に接続される場合にも、共通電圧（Ｖｃｏｍ）に対する外来ノイズの混入を抑えることができる。オンセル方式の複合パネルに接続される場合の共通電圧（Ｖｃｏｍ）の引き回しが、インセル方式の複合パネルに接続された場合よりも著しく長くなることがなくなるためである。
【００６７】
接続される複合パネル４がインセル方式かオンセル方式かの指定は、種々の方法によって行うことができる。例えば、タッチパネルコントローラ内蔵表示ドライバ（複合ＩＣ）１に、接続される複合パネルがインセル方式かオンセル方式かを指定するための端子を備える。この端子を外部でプルアップまたはプルダウンすることにより、接続されるパネルの方式を指定する。これにより、接続される複合パネルがインセル方式かオンセル方式かを容易に設定することができる。また、表示制御部２６に内蔵されるパラメータレジスタ（不図示）に、接続される複合パネル４がインセル方式かオンセル方式かを指定するためのパネル種別指定レジスタを追加し、システムインターフェース２７を介してホストプロセッサ５によって書込むことができるように構成する。これにより、接続される複合パネル４がインセル方式かオンセル方式かを、外付けのホストプロセッサ５から容易に設定することができる。このとき、電源投入時におけるパネル種別指定レジスタの初期値は、接続される複合パネル４がインセル方式であることを指定する値とされるとよい。接続される複合パネル４がインセル方式であって耐圧が低い場合も、レジスタ設定前に誤って大振幅のタッチ検出信号ＴＯＵＴｘが印加される事故を予防することができるからである。
【００６８】
〔実施形態２〕
共通電圧Ｖｃｏｍ以外の電圧レベルは、種々の方法によって供給され得る。例えば、タッチパネルコントローラ内蔵表示ドライバ（複合ＩＣ）１の外部から供給される電源、または、電源回路２９によって生成される各種内部電源、或いは、それらの電源から新たな電圧レベルの電源を生成して供給しても良い。
【００６９】
図５は、タッチパネルコントローラ内蔵表示ドライバ（複合ＩＣ）１の電源回路２９によって生成される各種内部電源を表す説明図である。電源回路２９は、昇圧回路、降圧回路、安定化回路（レギュレータ）などを含んで構成され、接地電位ＧＮＤ（０Ｖ）に対して外部から供給される正極と負極の電源ＶＳＰとＶＳＮから、タッチパネルコントローラ内蔵表示ドライバ（複合ＩＣ）１内の各回路で使用される内部電源を生成する。外部電源ＶＳＰとＶＳＮは例えば±５Ｖとされる。電源回路２９は、負極側の外部電源ＶＳＮから負極側内部基準電源（ＶＣＬ）を生成する。この電源は例えば−３Ｖとされる。電源回路２９は、別の内部基準電源ＶＣＩ２とＶＣＩ３を生成し、昇圧回路に供給して正極と負極の内部昇圧電源ＶＧＨとＶＧＬとを生成し、それぞれをレギュレータによって安定化して、表示パネル２のゲートンパネル回路８０に供給する正極と負極の電源ＧＶＤＤとＧＶＳＳを生成する。また、電源回路２９は、外部から供給されるＶＳＰとＶＳＮからそれぞれＳＶＤＤとＳＶＳＳを生成する。ＳＶＤＤからは、タッチ検出信号駆動回路（Ｔｘドライバ）１１に供給する高電位側の電源ＴｘＨを生成し、ＳＶＳＳからは、Ｖｃｏｍ生成回路により、表示パネル２に供給する共通電圧Ｖｃｏｍを生成する。
【００７０】
図６は、電源回路２９が生成する負極側内部基準電源（ＶＣＬ）が、共通電圧（Ｖｃｏｍ）以外の電圧レベルとして供給される、タッチ検出信号駆動回路（Ｔｘドライバ）の構成例を表すブロック図である。
【００７１】
タッチ検出信号駆動回路（Ｔｘドライバ）１１は、ＴｘＬ切替制御回路１９により、複合パネル４がインセル方式のときには、スイッチ１８によってレベルシフタ（Ｌ／Ｓ）の低電位側に共通電圧Ｖｃｏｍを供給し、オンセル方式のときには、Ｖｃｏｍ以外の電圧レベルとして、電源回路２９が生成する負極側内部基準電源（ＶＣＬ）を供給する。タッチ検出信号ＴＯＵＴｘは、レベルシフタ（Ｌ／Ｓ）の動作により、インセル方式のときには共通電圧ＶｃｏｍとＴｘＨの間で振幅するパルスとなり、オンセル方式のときにはＶＣＬとＴｘＨの間で振幅するパルスとなる。
【００７２】
これにより、複合パネル４がオンセル方式のときには、負極側内部基準電源（ＶＣＬ）が、共通電圧（Ｖｃｏｍ）に代わって利用される。一般に、ＶＣＬは例えば−３Ｖとされ、−３Ｖ〜０ＶとされるＶｃｏｍと同程度の電圧レベルとされるので、タッチパネルコントローラ１０内の他の回路を、インセル方式とオンセル方式の両方に適用可能にするための、切替制御、例えば、Ｔｘドライバ１１の出力端子の保護ダイオードに供給する電源を切替える制御などを、省略することができる。ＶＣＬはＶｃｏｍと電圧レベルは近いが、別個の電源であるため相互の間でのノイズの伝搬は低く抑えられる。オンセル方式の場合にタッチ検出信号ＴＯＵＴｘを引き回すことによってその低電圧電源ＶＣＬに混入する外来ノイズが、Ｖｃｏｍに伝搬しないように抑えることができる。
【００７３】
図７は、外部から供給される電源（ＶＳＮ）が、共通電圧（Ｖｃｏｍ）以外の電圧レベルとして供給される、タッチ検出信号駆動回路（Ｔｘドライバ）の構成例を表すブロック図である。電源回路２９に外部から供給される外部電源ＶＳＰとＶＳＮのうち、負極側のＶＳＮが共通電圧（Ｖｃｏｍ）以外の電圧レベルとして、タッチ検出信号駆動回路（Ｔｘドライバ）１１に供給される。他の構成は図６と同様であるので、説明を省略する。
【００７４】
これにより、複合パネル４がオンセル方式のときには、負極側外部電源（ＶＣＮ）が、共通電圧（Ｖｃｏｍ）に代わって利用される。内部の電源回路２９を経由しないため、タッチ検出信号ＴＯＵＴｘに混入する外来ノイズが、電源回路２９を経由して表示ドライバ２０側の回路に混入するのを減らすことができる。
【００７５】
図８は、電源回路が生成する負極側ゲート駆動電源（ＧＶＳＳ）が、共通電圧（Ｖｃｏｍ）以外の電圧レベルとして供給される、タッチ検出信号駆動回路（Ｔｘドライバ）１１の構成例を表すブロック図である。電源回路２９は、正極側と負極側のゲート駆動電源（ＧＶＤＤ，ＧＶＳＳ）を生成して、ゲート制御ドライバ２５に供給している。このゲート駆動電源のうち負極側の前記ゲート駆動電源（ＧＶＳＳ）が、共通電圧（Ｖｃｏｍ）以外の電圧レベルとして、タッチ検出信号駆動回路（Ｔｘドライバ）１１に供給される。他の構成は図６と同様であるので、説明を省略する。
【００７６】
これにより、複合パネル４がオンセル方式のときには、表示パネル２のゲート制御回路（ゲートインパネル回路）８０を駆動するゲート駆動電源（ＶＧＳＳ）が、共通電圧（Ｖｃｏｍ）に代わって利用される。一般に、ＶＧＳＳは約−１１Ｖとされ、電源回路２９によって外部電源を一旦昇圧した後に安定化して生成されるため、ノイズの影響が少ない。また、タッチ検出信号ＴＯＵＴｘは、タッチ検出の感度を向上するためには、振幅が大きい方が好ましい。しかし、インセル方式ではその構造上、耐圧が制限され、一般に１０Ｖ未満である場合が多いため、タッチ検出信号ＴＯＵＴｘはＶｃｏｍ基準として上記耐圧を超えない振幅に抑えることが適切である。これに対して、オンセル方式の場合には、耐圧は一般に１５Ｖ以上であるから、タッチ検出信号ＴＯＵＴｘの振幅をインセル方式に合わせて小さく抑える必要はない。図８のように構成することによって、タッチ検出信号ＴＯＵＴｘの振幅を、接続される複合パネル４がインセル方式かオンセル方式かに基づいて適切に切替えることができる。
【００７７】
図９は、電源回路がゲート駆動電源のために生成する負極側昇圧電源（ＶＧＬ）が、共通電圧（Ｖｃｏｍ）以外の電圧レベルとして供給される、タッチ検出信号駆動回路（Ｔｘドライバ）の構成例を表すブロック図である。前述のように、電源回路２９は、レギュレータによって安定化されたゲート駆動電源（ＧＶＤＤ，ＧＶＳＳ）を生成するために、一旦、昇圧電源ＶＧＨとＶＧＬを生成する。この昇圧電源のうち、負極側の昇圧電源（ＶＧＬ）が、共通電圧（Ｖｃｏｍ）以外の電圧レベルとして、タッチ検出信号駆動回路（Ｔｘドライバ）１１に供給される。他の構成は図６と同様であるので、説明を省略する。
【００７８】
これにより、複合パネル４がオンセル方式のときには、ゲート駆動電源（ＶＧＳＳ）を生成するために内部昇圧された昇圧電源（ＶＧＬ）が、共通電圧（Ｖｃｏｍ）に代わって利用される。図８の場合と同様に、タッチ検出信号ＴＯＵＴｘの振幅を、接続される複合パネル４がインセル方式かオンセル方式かに基づいて適切に切替えることができ、さらに、その振幅を図８の場合よりも大きくすることができる。
【００７９】
図１０は、共通電圧（Ｖｃｏｍ）以外の電圧レベルとして供給される電源を選択可能な、タッチ検出信号駆動回路（Ｔｘドライバ）の構成例を表すブロック図である。
【００８０】
タッチ検出信号駆動回路（Ｔｘドライバ）１１は、複合パネル４がオンセル方式のときは、共通電圧（Ｖｃｏｍ）以外の電圧レベルとして、外部電源ＶＳＮと、電源回路２９から生成される各種内部電源との中から１つの電源を選択して、選択された電圧とＴｘＨの間で振幅するタッチ検出信号ＴＯＵＴｘを、タッチパネル３に出力する。例えば、図１０に示されるように、スイッチ１８により、共通電圧（Ｖｃｏｍ）か、或いはそれ以外の電圧として、負極側内部基準電源ＶＣＬと、外部電源ＶＳＮと、ゲート駆動電源ＧＶＳＳと、それを発生させるための内部昇圧電源（負極側）ＶＧＬとの中から１つの電圧が選択されて、タッチ検出信号駆動回路（Ｔｘドライバ）１１に供給される。他の構成は図６と同様であるので、説明を省略する。
【００８１】
これにより、タッチ検出信号駆動回路に必要な電源は、半導体装置（ＩＣ）の内部で生成される各種内部電源から選択することが可能となる。
【００８２】
図１１は、共通電圧（Ｖｃｏｍ）以外の電圧レベルとして供給される電源を自由に設定可能な、タッチ検出信号駆動回路（Ｔｘドライバ）の構成例を表す回路図である。
【００８３】
タッチ検出信号駆動回路（Ｔｘドライバ）１１は、生成電圧を可変とする可変電源回路３１を備える。可変電源回路３１は、例えば、抵抗ラダー３１を用いて構成される。抵抗ラダー３１の高電位端は接地レベルＧＮＤに接続され、低電位端はゲート駆動電源ＧＶＳＳに接続され、中間タップから任意の電圧を選択して、スイッチ１８に供給する。他の構成は図６と同様であるので、説明を省略する。
【００８４】
タッチ検出信号駆動回路（Ｔｘドライバ）１１は、ＴｘＬ切替制御回路１９により、複合パネル４がインセル方式のときには、スイッチ１８によってレベルシフタ（Ｌ／Ｓ）の低電位側に共通電圧Ｖｃｏｍを供給し、オンセル方式のときには、Ｖｃｏｍ以外の電圧レベルとして、可変電源回路３１によって生成される任意の電圧を供給することができる。タッチ検出信号ＴＯＵＴｘは、レベルシフタ（Ｌ／Ｓ）の動作により、インセル方式のときには共通電圧ＶｃｏｍとＴｘＨの間で振幅するパルスとなり、オンセル方式のときには共通電圧Ｖｃｏｍ以外の電圧レベルとＴｘＨの間で振幅するパルスとなる。
【００８５】
これにより、オンセル方式のときのタッチ検出信号の低電圧側振幅レベルを自由に決めることができる。
【００８６】
以上本発明者によってなされた発明を実施形態に基づいて具体的に説明したが、本発明はそれに限定されるものではなく、その要旨を逸脱しない範囲において種々変更可能であることは言うまでもない。
【００８７】
例えば、タッチパネルコントローラ内蔵表示ドライバ（複合ＩＣ）１は主に液晶表示パネルに接続される場合について説明したが、ＯＬＥＤを駆動するための複合ＩＣ１に変更することは可能である。また、図１に示される複合ＩＣ１の詳細な構成例では、フレームメモリ２４を内蔵する構成例を示したが、それらを含まない簡易な構成にも、さらに他の機能を含む高機能の構成にも、適宜変更することができる。
【符号の説明】
【００８８】
１  タッチパネルコントローラ内蔵表示ドライバＩＣ（複合ＩＣ）
２  表示パネル
３  タッチパネル
４  表示・タッチパネル（複合パネル）
５  ホストプロセッサ
１０  タッチパネルコントローラ
１１  タッチ検出信号駆動回路（Ｔｘドライバ）
１２  タッチ検出信号検出回路（Ｒｘレシーバ）
１３  タッチ検出制御部
１４  Ａ／Ｄ変換器（ＡＤＣ）
１５  メモリ
１６  タッチ検出信号（Ｔｘ信号）生成回路
１７  レベルシフタ（Ｌ／Ｓ）
１８  スイッチ
１９  ＴｘＬ切替制御回路
２０  表示ドライバ
２１  ソースドライバ
２２  階調電圧選択回路
２３  データラッチ回路
２４  メモリ
２５  ゲート制御ドライバ
２６  表示制御部
２７  システムインターフェース
２８  表示インターフェース
２９  電源回路
３０  ＭＰＵ
３１  可変電源回路（抵抗ラダー）
８０  ゲートインパネル回路
８１  シフトレジスタ
８２  アンプ
８３  デマルチプレクサ
Ｇ１〜Ｇｍ  走査電極（ゲート配線）
Ｓ１〜Ｓｎ  信号電極（ソース配線）
Ｔｒ  トランスファゲート
Ｃ  画素容量
【図１】
2015176512.tif 000003
【図２】
2015176512.tif 000004
【図３】
2015176512.tif 000005
【図４】
2015176512.tif 000006
【図５】
2015176512.tif 000007
【図６】
2015176512.tif 000008
【図７】
2015176512.tif 000009
【図８】
2015176512.tif 000010
【図９】
2015176512.tif 000011
【図１０】
2015176512.tif 000012
【図１１】
2015176512.tif 000013